(57)【要約】【課題】自然排水を行う床置き形空気調和機の構成を変更することなく、燃焼系暖房機の設置時に形成された壁の穴を利用して空気調和機のドレン排水を行うことができる床置き形空気調和機の据付器具を提供する。【解決手段】床置き形空気調和機の据付器具２０は、上部に床置き形空気調和機１が載置され、内部に床置き形空気調和機１から排出されたドレン水を壁の穴まで汲み上げるドレンアップ機器１０を収納するための中空部２２ａが形成された載置台２１と、壁に固定され、載置台２１に載置された床置き形空気調和機１を背面側において支持する支柱部材３１とを備える。【選択図】図２
2015099005.tif 000002
【特許請求の範囲】
【請求項１】
既設穴が開けられた壁に床置き形空気調和機を固定する床置き形空気調和機の据付器具であって、
上部に前記床置き形空気調和機が載置され、前記床置き形空気調和機から排出されたドレン水をドレンホースを介して壁の既設穴まで汲み上げるドレンアップ機器を内部に収納するための中空部が形成された載置台と、
壁に固定され、前記載置台に載置された前記床置き形空気調和機を背面側において支持する支柱部材と
を備えたことを特徴とする床置き形空気調和機の据付器具。
【請求項２】
前記支柱部材に着脱可能に取り付けられるものであって、前記床置き形空気調和機と壁との隙間を覆う背面カバーをさらに有することを特徴とする請求項１に記載の床置き形空気調和機の据付器具。
【請求項３】
前記背面カバーは、前記床置き形空気調和機の側面側において、前記床置き形空気調和機と壁との隙間を覆う側部背面カバーと、前記側部背面カバーの上部に固定された上部背面カバーとを有し、
前記側部背面カバーは、前記床置き形空気調和機の内方に向かって突出しており、壁もしくは前記床置き形空気調和機に固定するための固定穴が形成された突出片を備え、
前記側部背面カバーの前記突出片は、他の前記側部背面カバーの前記突出片と前記固定穴を用いて連結されるものである請求項２に記載の床置き形空気調和機の据付器具。
【請求項４】
前記背面カバーの下端には、切り離し自在に設けられた切断片が設けられており、前記切断片が切り離された際、壁の下部に設置された巾木を挿入する隙間が形成されることを特徴とする請求項２または３に記載の床置き形空気調和機の据付器具。
【請求項５】
前記載置台は、
前記中空部が形成され、前記床置き形空気調和機の前面側に前記中空部に通じる開口部を有するフレームと、
前記フレームの前記開口部を覆うように、前記フレームに着脱可能に取り付けられた前面カバーと
を有するものであることを特徴とする請求項１〜４のいずれか１項に記載の床置き形空気調和機の据付器具。
【請求項６】
前記ドレンアップ機器は、前記床置き形空気調和機の幅方向の一側面に設けられたドレン流入口と、前記床置き形空気調和機の幅方向の他側面に設けられたドレン水排出口とを有するものであり、
前記載置台は、前記床置き形空気調和機の前面側に開口部を有することを特徴とする請求項１〜５のいずれか１項に記載の床置き形空気調和機の据付器具。
【請求項７】
既設穴が開けられた壁に固定される床置き形空気調和機と、
前記床置き形空気調和機から排出されたドレン水をドレンホースを介して壁の既設穴まで汲み上げるドレンアップ機器と、
前記床置き形空気調和機が載置されるとともに前記ドレンアップ機器を収納する請求項１〜６のいずれか１項に記載の床置き形空気調和機の据付器具と
を備えたことを特徴とする空気調和システム。
【発明の詳細な説明】
【技術分野】
【０００１】
本発明は、床に設置される床置き形空気調和機の据付器具及びこれを用いた空気調和システムに関するものである。
【背景技術】
【０００２】
従来から、床に設置するヒートポンプ式の床置き形空気調和機が知られている。一般的に、床置き形空気調和機には室内機の下側からドレン水を排出する自然排水が採用されている。また、上述したヒートポンプ式の空気調和機の他に、例えばクリーンヒーター等のようなガスを燃焼して暖房運転を行う床置き形の燃焼系暖房機が知られている。この燃焼系暖房機が室内に設置される際、ガスの燃焼時に排出される煙を屋外へ排出するために家屋等の壁に穴が開けられ、この穴を介して燃焼系暖房機の煙が屋外へ排出されるようになっている。
【０００３】
上述した床置き形の燃焼系暖房機からヒートポンプ式の床置き形空気調和機へ買い替える際、ドレン水を排出するための穴を設ける必要がある。排気用の穴はドレン排水用の穴に比べて高い位置に形成されることが多いため排気用の穴にはドレン水を自然排水することができない。このため、排気用の穴の他に新たにドレン排水用の穴を開ける必要がある。ここで、既に開けられている既設穴（排気穴）を利用してドレン水を屋外に排出する空気調和機が提案されている（例えば特許文献１参照）。特許文献１には、室内機の筐体の下部にドレンポンプが設けられており、筐体の背面側（壁側）に接続配管やドレンポンプが引き回せるスペースが形成された床置き形室内機が開示されている。そして、ドレンポンプによりドレン水が穴の形成位置まで引き上げられ、穴から強制的にドレン水が排出されるようになっている。
【先行技術文献】
【特許文献】
【０００４】
【特許文献１】特開２００９−６３２１３号公報（第５頁、第３図）
【発明の概要】
【発明が解決しようとする課題】
【０００５】
ところで、床置き形空気調和機を買い替えではなく新規に設置する場合、自然排水に適した穴等を壁に設ければよいため、特許文献１のような室内機に搭載されたドレンアップ機能は不要になる。このような場合、ドレンアップ機能を搭載した床置き形空気調和機は不要な機能を追加したために外形寸法が大きくなるとともに、製造コストが増えてしまう。一方、通常設置用の床置き形空気調和機とドレンアップ機能を搭載した買い替え専用の床置き形空気調和機との双方を作製することは却って負担が大きくなってしまう。
【０００６】
本発明は、上記のような問題点を解決するためになされたものであり、自然排水を行う床置き形空気調和機の構成を変更することなく、燃焼系暖房機の設置時に形成された壁の既設穴を利用して空気調和機のドレン排水を行うことができる床置き形空気調和機の据付器具及びこれを用いた空気調和システムを提供することを目的としている。
【課題を解決するための手段】
【０００７】
本発明の空気調和機の据付器具は、既設穴が開けられた壁に床置き形空気調和機を固定する床置き形空気調和機の据付器具であって、上部に床置き形空気調和機が載置され、床置き形空気調和機から排出されたドレン水をドレンホースを介して壁の既設穴まで汲み上げるドレンアップ機器を内部に収納するための中空部が形成された載置台と、壁に固定され、載置台に載置された床置き形空気調和機を背面側において支持する支柱部材とを備えたものである。
【発明の効果】
【０００８】
本発明の床置き形空気調和機の据付器具によれば、上部に床置き形空気調和機を設置し、下部にドレンアップ機器を収容することができるため、設置固定タイプの燃焼系暖房機からヒートポンプ式の空気調和機への置き換えを行う際、置換用の専用の構成を有する空気調和機を用いることなく、通常設置用の床置き形空気調和機を用いて置き換えることができる。
【図面の簡単な説明】
【０００９】
【図１】本発明の床置き形空気調和機の据付器具及びこれを用いた空気調和システムの実施形態１を示す斜視図である。
【図２】図１の床置き形空気調和機の据付器具の一例を示す分解斜視図である。
【図３】図１の床置き形空気調和機の据付器具の一例を示す断面図である。
【図４】図２のドレンアップ機器の一例を示す斜視図である。
【図５】図２のドレンアップ機器の一例を示す斜視図である。
【図６】図２のドレンアップ機器の一例を示す斜視図である。
【図７】本発明の床置き形空気調和機の据付器具の実施形態２を示す斜視図である。
【図８】本発明の床置き形空気調和機の据付器具の実施形態２を示す斜視図である。
【図９】図７及び図８の床置き形空気調和機の据付器具における開口部を示す平面図である。
【図１０】本発明の床置き形空気調和機の据付器具の実施形態３を示す背面カバーを１組備えた場合の斜視図である。
【図１１】本発明の床置き形空気調和機の据付器具の実施形態３を示す背面カバーを２組備えた場合の斜視図である。
【図１２】図１０の１組の背面カバーを示す分解図である。
【図１３】図１１の２組の背面カバーを示す分解図である。
【図１４】図１３の背面カバーにおける側部背面カバーが連結された状態を示す斜視図である。
【図１５】図１３の背面カバーにおける側部背面カバーが連結された状態を示す斜視図である。
【図１６】本発明の床置き形空気調和機の据付器具の実施形態３を示す設置場所に巾木が無い場合の側面図である。
【図１７】本発明の床置き形空気調和機の据付器具の実施形態３を示す設置場所に巾木が有る場合の側面図である。
【図１８】図１６及び図１７の背面カバーにおける切断片を示す平面図である。
【図１９】図１２及び図１３の背面カバーにおける巾木設置対応時の加工を示す詳細図である。
【発明を実施するための形態】
【００１０】
実施形態１．
以下、図面を参照しながら床置き形空気調和機の据付器具及びこれを用いた空気調和システムの実施形態について説明する。図１は、本発明の床置き形空気調和機及びこれを用いた空気調和システムの据付器具の実施形態１を示す斜視図、図２は、図１の床置き形空気調和機の据付器具の一例を示す分解斜視図、図３は図１の床置き形空気調和機の据付器具の一例を示す断面図である。図１から図３の床置き形空気調和機の据付器具２０は、燃焼系暖房機から床置き形空気調和機１への買い替え時に、燃焼系暖房機用に壁に開けられた既設穴Ｈをドレン排水用の穴として利用することができるように、床置き形空気調和機１及びドレンアップ機器１０を設置するものである。
【００１１】
図１から図３を参照して、床置き形空気調和機１について説明する。床置き形空気調和機１は、筐体２内に熱交換器３及びファン４が収容された構造を有している。熱交換器３は、例えばフィンチューブ式の熱交換器からなっており、図示しない室外機に接続されている。ファン４は、熱交換器３に送風を行うものであって、例えばシロッコファンから構成されている。ここで、筐体２の前面には室内空気を吸い込む吸込口２ａが設けられており、筐体２の上部には空気の吹出口２ｂが設けられている。そして、ファン４が駆動することにより、吸込口２ａから室内空気が筐体２内へ吸い込まれ熱交換器３に送風される。熱交換器３において室外機から流入する冷媒と室内空気との間で熱交換が行われて室内の暖房もしくは冷房が行われる。
【００１２】
さらに、床置き形空気調和機１は、熱交換器３の下部に設けられ、冷房運転時に熱交換器３において発生したドレン水を貯留するドレンパン５を有している。ドレンパン５には貯留されたドレン水を排出する穴が形成されており、この穴にはドレンホースＰ１が接続されている。そして、ドレンパン５に貯留されたドレン水は重力により穴からドレンホースＰ１内に流れ込み、床置き形空気調和機１とは別の機器であるドレンアップ機器１０側へ流れる。
【００１３】
図４から図６はドレンアップ機器１０の一例を示す斜視図であり、図１から図６を参照してドレンアップ機器１０について説明する。ドレンアップ機器１０は、床置き形空気調和機１から流出したドレン水を壁に設けられた既設穴Ｈまでくみ上げて排出するものであって、ドレン流入口１２及びドレン排出口１６が形成された直方体形状のハウジング１１を有している。
【００１４】
ドレン流入口１２は、ハウジング１１の床置き形空気調和機１の幅方向（矢印Ｘ方向）の一側面１１ａ側に形成されており、ドレン排出口１６は幅方向（矢印Ｘ方向）の他側面１１ｂ側に形成されている。ドレン排出口１６には、ドレンホースＰ２が接続されており、ドレンホースＰ２は既設穴Ｈを通って屋外に延びている。ハウジング１１内にはドレンパン１３及びドレンポンプ１４が収容されている。ドレンパン１３は、ハウジング１１の底部に設けられており、ドレン流入口１２から流れたドレン水を貯留するものである。ドレンポンプ１４はドレンパン１３に貯留されたドレン水をドレンパイプ１５を介してドレン排出口１６側へ送り出すものである。
【００１５】
そして、床置き形空気調和機１からドレンホースＰ１を介して流れてきたドレン水は、ドレン流入口１２から流れ込み、ハウジング１１内のドレンパン１３に溜められる。その後、ドレンパン１３のドレン水はドレンポンプ１４の作動により汲み上げられ、ドレンパイプ１５を経由してドレン排出口１６側へ送水される。ドレン排出口１６から流出したドレン水は、ドレンホースＰ２を介して床からの高さ位置ＨＨに形成された既設穴Ｈまで汲み上げられて屋外へ排出される。
【００１６】
このように、床置き形空気調和機１は、ドレン水の自然排水を行う構造を有しており、筐体２内にはドレンアップ機能は搭載されていない。よって、既設穴Ｈをドレン排水用の穴として利用するためには、既設穴Ｈの高さ位置ＨＨまでドレン水を汲み上げるために、ドレンアップ機器１０が設置される。この際に、図１〜図３において、既設穴Ｈを利用する際に、床置き形空気調和機１とドレンアップ機器１０とは据付器具２０を用いて室内に設置される。
【００１７】
図１〜図３の床置き形空気調和機１の据付器具２０は、載置台２１及び支柱部材３１を備えている。載置台２１は、上部に床置き形空気調和機１が載置されるものであって、上部に固定された板状部材を備えた略直方体のフレーム２２と、フレーム２２の正面及び左右の側面を覆う前面カバー２３とを備えている。フレーム２２の内部には中空部２２ａが形成されており、中空部２２ａはドレンアップ機器１０が収納できる大きさを有している。なお、ドレンアップ機器１０は中空部２２ａ内において床に設置される場合について例示しているが、フレーム２２に底板が設けられており、ドレンアップ機器１０がフレーム２２上に載置されるものであってもよい。
【００１８】
支柱部材３１は、床置き形空気調和機１を壁に固定するものであって、奥行き方向（矢印Ｙ方向）に突出するように壁に固定されている。そして、支柱部材３１と床置き形空気調和機１の背面とはネジ等で固定されている。なお、支柱部材３１の長さ分だけ床置き形空気調和機１の背面と壁との間に隙間が形成され、隙間がドレンホースＰ２の配管スペースになる。また、壁と支柱部材３１との間には、支柱部材３１には板状の背面カバー（意匠プレート）３２、３３が上記隙間を覆うように固定されている。このように、背面カバー３２、３３が支柱部材３１に取り付けられることにより、ドレンホースＰ１、Ｐ２が外部から見えなくし、意匠性を向上させることができる。
【００１９】
上記実施形態１によれば、据付器具２０が、上部に床置き形空気調和機１を壁に固定するとともに、床置き形空気調和機１の直下にドレンアップ機器１０を収容する載置台を有することにより、設置固定タイプの燃焼系暖房機から容易に置き換えることができる。すなわち、従来のように、既設穴Ｈを利用するために置き換え専用の床置き形空気調和機１を用いなくても、通常設置用の床置き形空気調和機１を用いて燃焼系暖房機からの置き換えを行うことができる。また、載置台２１の中空部２２ａ内にドレンアップ機器１０が収容されるため、ドレンアップ機器１０が外観上見えることがなく、意匠性が向上する。
【００２０】
さらに、壁と床置き形空気調和機１との間に背面カバー３２、３３が設けられていることにより、ドレンアップ機器１０から既設穴Ｈへ延びるドレンホースＰ２が背面カバー３２、３３により隠れるため、意匠性を向上させることができる。特に、支柱部材３１と背面カバー３２、３３とが分割されていることにより、据付時やサービス時に支柱部材３１から背面カバー３２、３３を外してドレンホースＰ２の配置を調整することができる。さらに、背面カバー３２、３３が両側面及び上方の３つの部品に分かれているため、梱包時の体積を小さくすることができる。
【００２１】
実施形態２．
図７及び図８は本発明の床置き形空気調和機の据付器具の実施形態２を示す模式図であり、図７及び図８を参照して据付器具１２０について説明する。なお、図７及び図８の据付器具１２０において、図１から図６の床置き形空気調和機１の据付器具２０と同一の構成を有する部位には同一の符号を付してその説明を省略する。図７及び図８の床置き形空気調和機１の据付器具１２０が図１から図６の床置き形空気調和機の据付器具２０と異なる点は、前面カバー２３がフレーム２２に対し着脱可能に取り付けられている点である。
【００２２】
具体的には、略直方体のフレーム２２は、前面側に開口部１２２ｘを有しており、開口部１２２ｘは前面カバー２３により覆われている。この前面カバー２３は、フレーム２２に対しネジ止め等により着脱可能に取り付けられている。また、フレーム２２の開口部１２２ｘの高さ及び幅は、ドレンアップ機器１０の高さ及び幅よりも大きく設定されており、開口部１２２ｘからフレーム２２内へドレンアップ機器１０の収納及び取出ができるようになっている。
【００２３】
ここで、図９は、図７及び図８の床置き形空気調和機の据付器具における開口部を示す平面図である。図９に示すように、ドレンアップ機器１０は、床置き形空気調和機１の幅方向（矢印Ｘ方向）の一側面側（右側）にドレン流入口１２が設けられており、他面側（左側）にドレン排出口１６が設けてられている。また、ドレン流入口１２には、床置き形空気調和機のドレンホースＰ１が接続され、ドレン排出口１６には屋外に延びるドレンホースＰ２が接続されている。
【００２４】
これにより、ドレンアップ機器１０のサービス時又は部品の交換作業等のメンテナンス時において、作業者はドレンアップ機器１０からドレンホースＰ１、Ｐ２を取り外す作業を開口部１２２ｘを通して行い、その後ドレンアップ機器１０を開口部１２２ｘから取り出すことができる。このため、床置き形空気調和機１を移動することなく、ドレンアップ機器１０のみ引き出して部品交換等を行うことができる。この際、ドレンアップ機器１０及びドレンホースＰ１、Ｐ２が配置されているため、サービス時などのメンテナンスにおいてドレンアップ機器１０とドレンホースＰ１、Ｐ２との接続作業が容易となり、メンテナンス性を向上させることができる。
【００２５】
実施形態３．
図１０及び図１１は本発明の床置き形空気調和機の据付器具の実施形態３を示す斜視図であり、図１０及び図１１を参照して据付器具２２０について説明する。なお、図１０及び図１１の据付器具２２０において、図１から図９の床置き形空気調和機１の据付器具２０、１２０と同一の構成を有する部位には同一の符号を付してその説明を省略する。図１０及び図１１の床置き形空気調和機１の据付器具２２０が図１〜図９の床置き形空気調和機の据付器具２０、１２０と異なる点は、複数の背面カバー２３０同士が連結可能な構造を有する点である。
【００２６】
すなわち、図１０の床置き形空気調和機１の据付器具２２０は、１組の背面カバー２３０が床置き形空気調和機１の背面に取り付けたものであり、図１１の床置き形空気調和機１の据付器具２２０は、２組の背面カバー２３０が連結され床置き形空気調和機１の背面に取り付けたものである。上部背面カバー２３３及び側部背面カバー２３２はそれぞれ厚みＷを有している。よって、図１０のように１組の背面カバー２３０が取り付けられた場合、床置き形空気調和機１は厚みＷだけ壁から離れた状態で設置され、図１１のように２組の背面カバー２３０が取り付けられた場合、床置き形空気調和機１は厚み２Ｗだけ壁から離れた状態で設置される。このように、床置き形空気調和機１の据付場所に応じて必要な組数の背面カバー２３０を用いることができるようになっている。
【００２７】
図１２は図１０の１組の背面カバーを示す分解図であり、図１３は図１１の２組の背面カバーを示す分解図である。図１２及び図１３において、背面カバー２３０は、床置き形空気調和機１の側面に取り付けられる側部背面カバー２３２と、床置き形空気調和機１の上方に取り付けられる上部背面カバー２３３とを有している。上部背面カバー２３３及び側部背面カバー２３２は、外側に露出する意匠面２３２ｘと、意匠面２３２ｘの両端からそれぞれ屈曲した側壁２３２ｙとを備えている。側部背面カバー２３２の上端には上部背面カバー２３３の側端がそれぞれ固定されている。また、側部背面カバー２３２の側壁２３２ｙには切欠２３２ｚが形成されており、側部背面カバー２３２が切欠２３２ｚにおいて折り曲げられることにより側部背面カバー２３２の高さを調整することができる。
【００２８】
側部背面カバー２３２は、側壁２３２ｙから内方に向かって突出した複数の第１突出片２３２ａ及び複数の第２突出片２３２ｂを有している。第１突出片２３２ａは一方の側壁２３２ｙに例えば４つ設けられており、第２突出片２３２ｂは他方の側壁２３２ｙに例えば３つ設けられている。第１突出片２３２ａと第２突出片２３２ｂとは、異なる高さ位置（矢印Ｚ方向）に形成されており、互いに重なり合わないように設けられている。
【００２９】
第１突出片２３２ａには、２つの第１固定穴２４１、２４２が高さ方向（矢印Ｚ方向）に並んで形成されており、第２突出片２３２ｂには１つの第２固定穴２４３が形成されている。第１固定穴２４１、２４２は、側部背面カバー２３２を壁ＷＬもしくは床置き形空気調和機１に固定する際に固定部材が挿入されるものであるとともに、側部背面カバー２３２同士を連結するために用いられるものである。第２固定穴２４３は、背面カバー２３０を壁ＷＬもしくは床置き形空気調和機１に固定する際に固定部材が挿入されるものである。すなわち、１組の背面カバー２３０が用いられる場合（図１０参照）、例えば第１突出片２３１ａが壁ＷＬに固定され、第２突出片２３１ｂ側が床置き形空気調和機１に固定される。
【００３０】
図１４及び図１５は図１３の背面カバーにおける側部背面カバーが連結された状態を示す斜視図である。図１４及び図１５に示すように、２つの側部背面カバー２３２同士が連結して用いられる場合、一方の側部背面カバー２３２と他方の側部背面カバー２３２の壁面側に位置する第１突出片２３２ａとが重なり合うように位置決めされる。この際、背面カバー２３０がそれぞれ組み立てられた後、一方の背面カバー２３０の左右が反転するように背面カバー２３０が高さ方向（矢印Ｚ方向）を軸として回転される。すると、一方の側部背面カバー２３２の第１突出片２３２ａと他方の側部背面カバー２３２の第１突出片２３２ａとが重なり合い、第１固定穴２４１、２４２にボルト等の固定部材を挿入して連結される。そして、一面側の第２突出片２３２ｂが壁ＷＬに固定され、他面側の第２突出片２３２ｂが床置き形空気調和機１に固定される。
【００３１】
さらに、図１０及び図１１の背面カバー２３０は、壁ＷＬの最下部に巾木ＢＢが位置する場合であっても、壁ＷＬに対して隙間なく設置することができる構造を有している。図１６は図１０及び図１１の設置場所に巾木ＢＢが無い場合の床置き形空気調和機の据付器具の様子を示す側面図、図１７は設置場所に巾木ＢＢが有る場合の床置き形空気調和機の据付器具の様子を示す側面図である。図１６及び図１７において、側部背面カバー２３２の下端には、切断可能な切断片２５０が形成されている。そして、図１６のように設置場所に巾木ＢＢが無い場合、切断片２５０が切断されない状態で使用される。一方、図１７のように設置場所に巾木ＢＢが有る場合、切断片２５０が切断され、切断片２５０が切り取られた後の空間に巾木ＢＢが挿入される。
【００３２】
図１８は図１６及び図１７の背面カバーにおける切断片を示す平面図、図１９は図１２及び図１３の背面カバーにおける巾木設置対応時の加工を示す詳細図である。図１８及び図１９に示すように、側部背面カバー２３２の下部において、意匠面２３２ｘにスリット穴２５１が破線状に複数形成されており、切断片２５０は、スリット穴２５１に沿って切断可能に設けられている。また、スリット穴２５１は、意匠面２３２ｘから側壁２３２ｙにわたり連続して形成されている。切断片２５０は、意匠面２３２ｘにおいて、スリット穴２５１の間に形成された折曲部２５２により接続された状態になっている。なお、図１８において、折曲部２５２は例えば２つの切断片２５０毎にそれぞれ５箇所備えられている。また、切断片２５０の側壁２３２ｙにはそれぞれ１つの第１突出片２３２ａ及び第２突出片２３２ｂが形成されている。
【００３３】
そして、壁ＷＬの最下部に位置する巾木ＢＢが有る場所に設置する際は、切断片２５０がスリット穴２５１に沿って背面カバー２３０の内側に９０°折り曲げて切断される。なお、壁ＷＬの最下部に巾木ＢＢが無い場所に設置する場合、側部背面カバー２３２は、上記の加工を行われずに切断片２５０が接続されたまま設置される。なお、切断片２５０が切断可能であればその構造を問わず、例えば意匠面２３２ｘ側に切り込みが形成されており、切断片２５０が側壁２３２ｙ側に折曲部２５２を設けて切断可能に接続されていてもよい。
【００３４】
上記実施形態３によれば、背面カバー２３０が、床置き形空気調和機１と壁ＷＬとの隙間の間隔に応じて、背面カバー２３０を１組、もしくは２組を連結して用いることができる。すると、壁ＷＬからの奥行き方向（矢印Ｙ方向）の異なる設置固定タイプの燃焼系暖房機から置き換えした際、壁又は床に残っている設置跡を隠すことができ、意匠性を向上させることができる。また、１つの製品を連結して対応できることから、奥行きの異なる製品を複数持つ必要がないため、製品の削減となり、省資源化となる。
【００３５】
また、設置場所の状況に応じて、切断片２５０を折り曲げることにより、巾木ＢＢを避けることが可能となり、背面カバー２３０と壁ＷＬの最下部に生じる隙間を塞ぐことができるため、意匠性が改善される。さらに、切断片２５０が背面カバー２３０の左側の側部背面カバー２３２及び右側の側部背面カバー２３２の内部に位置し、突起側のエッジは床置き形空気調和機側、もしくは壁面側に位置することから、意匠面２３２ｘにエッジが出ないため、ケガをする恐れがなく安全性が確保される。
【００３６】
なお、実施形態３において、側部背面カバー２３２には第１突出片２３２ａ及び第２突出片２３２ｂと切断片２５０とが設けられている場合について例示しているが、切断片２５０が設けられていなくてもよい。この場合であっても、側部背面カバー２３２同士を連結することができる。また、実施形態１、２の背面カバー３２において、上述した切断片２５０が設けられていてもよい。
【符号の説明】
【００３７】
１  床置き形空気調和機、２  筐体、２ａ  吸込口、２ｂ  吹出口、３  熱交換器、４  ファン、５  ドレンパン、１０  ドレンアップ機器、１１  ハウジング、１１ａ  一側面、１１ｂ  他側面、１２  ドレン流入口、１３  ドレンパン、１４  ドレンポンプ、１５  ドレンパイプ、１６  ドレン排出口、２０、１２０、２２０  据付器具、２１  載置台、２２  フレーム、２２ａ  中空部、２３  前面カバー、３１  支柱部材、３２、３３  背面カバー、１２２ｘ  開口部、２３０  背面カバー、２３２  側部背面カバー、２３２ａ  第１突出片、２３２ｂ  第２突出片、２３２ｘ  意匠面、２３２ｙ  側壁、２３２ｚ  切欠、２３３  上部背面カバー、２４１、２４２  第１固定穴、２４３  第２固定穴、２５０  切断片、２５１  スリット穴、２５２  折曲部、ＢＢ  巾木、Ｈ  既設穴、ＨＨ  高さ位置、Ｐ１、Ｐ２  ドレンホース、Ｗ  厚み、ＷＬ  壁。
【図１】
2015099005.tif 000003
【図２】
2015099005.tif 000004
【図３】
2015099005.tif 000005
【図４】
2015099005.tif 000006
【図５】
2015099005.tif 000007
【図６】
2015099005.tif 000008
【図７】
2015099005.tif 000009
【図８】
2015099005.tif 000010
【図９】
2015099005.tif 000011
【図１０】
2015099005.tif 000012
【図１１】
2015099005.tif 000013
【図１２】
2015099005.tif 000014
【図１３】
2015099005.tif 000015
【図１４】
2015099005.tif 000016
【図１５】
2015099005.tif 000017
【図１６】
2015099005.tif 000018
【図１７】
2015099005.tif 000019
【図１８】
2015099005.tif 000020
【図１９】
2015099005.tif 000021